(57)【特許請求の範囲】
【請求項１】
複数の特別図柄を画面上に変動表示する特別図柄表示装置と、
玉検出手段を備えた始動領域と、
玉検出手段からの球検出信号に起因して特別図柄表示装置を変動表示させて、各特別図柄を確定表示する図柄制御手段とを備え、
確定された各特別図柄の組合わせが所定の当り図柄態様である場合に、大当り状態となって、遊技者に所定の利得をもたらす作動を発生させると共に、
普通図柄表示装置と、
該普通図柄表示装置を駆動する玉検出手段を備えた普通始動領域と、
普通始動領域の玉検出手段からの球検出信号に起因して普通図柄表示装置を変動表示させて、普通図柄を確定表示する普通図柄制御手段とを備えるパチンコ機において、
各個に開閉制御される複数個の開閉入賞口からなり、その内のいずれかの開閉入賞口内を特定領域とする集合入賞装置を備え、前記大当り状態で、所定開閉入賞口を所定時間又は所定個数流入するまで開放状態を維持し、特定領域に玉が入った場合には所定回数更新する所定大当り態様で開放させると共に、
大当り状態ではないときに、普通図柄制御手段で確定された普通図柄が所定の態様である場合に、前記集合入賞装置の各開閉入賞口うち、あらかじめ選定された所定のものを、大当り態様に比して短時間又は少数個流入するまで選択的に開放させる普通入賞態様を実行するようにしたことを特徴とするパチンコ機。
【請求項２】
前記普通入賞態様が、集合入賞装置の全開閉入賞口のうち、全部を除く所定個数が開放されると共に、その開放された開閉入賞口への玉流入に伴って、閉鎖状態にあった他の開閉入賞口が開放されるようにしたものである請求項１記載のパチンコ機。
【請求項３】
前記普通入賞態様が、集合入賞装置の全開閉入賞口のうち、所定抽選手段によって指定されたる開閉入賞口が開放されるものである請求項１記載のパチンコ機。
【請求項４】
前記大当り態様が、集合入賞装置の、全開閉入賞口を開放作動する全開放形態と、全部を除く所定個数の開閉入賞口のみを開放作動させる部分開放形態とのいずれかを、図柄表示装置の大当り表示内容により選定して、実行されるものである請求項１記載のパチンコ機。
【発明の詳細な説明】
【０００１】
【産業上の利用分野】
本発明は、所定の組合わせにより所定の利益ある作動を生じさせる組合わせ表示装置を備えたパチンコ機に関する。
【０００２】
【従来の技術】
複数の図柄を画面上に変動表示する図柄表示装置と、玉検出手段を備えた始動領域と、玉検出手段からの球検出信号を所定数を上限として記憶する始動記憶装置と、玉検出手段からの球検出信号、或は始動記憶装置の記憶に基づいて図柄表示装置を変動表示させ、あらかじめ抽選された内容に従って各図柄を確定表示する図柄制御手段とを備え、確定された各図柄の組合わせが所定の当り図柄態様である場合に、大当り状態となって、遊技者に所定の利得をもたらす作動を発生させるパチンコ機は良く知られている。
【０００３】
尚、ここで始動領域としては、賞球払い出しを伴わない通過ゲートや、機裏に流下させて入賞球とする始動口がある。
【０００４】
この種のパチンコ機にあって、通常、幅広の大入賞口を備え、大当り状態となると、大入賞口が開放作動を行ない、該大入賞口内への特定領域への玉通過に伴って、該大入賞口の開放作動を更新させるようにし、遊技者にとって利益ある作動を生じさせるようにしている。
【０００５】
【発明が解決しようとする課題】
ところで、従来では、上述の大入賞口は、図柄表示装置の表示内容と関係付けられた大当り状態のときにのみ作動し、それ以外には閉じた状態に維持される。蓋し、この大入賞口は通常幅方向に口が大きく、多数の入賞玉を発生させ得る態様であるから、これを大当り以外の他の条件が達成されたときに開放させると、過剰な入賞玉数が発生し、遊技態様の調和が崩れるからである。
【０００６】
本発明は、この大当り時にのみ機能する入賞装置を、常態においても所定の役割を果たさせて、該入賞装置の機能を向上させ、遊技全体をさらに興趣に富んだものとすることを目的とするものである。
【０００７】
【課題を解決するための手段】
本発明は、
複数の特別図柄を画面上に変動表示する特別図柄表示装置と、
玉検出手段を備えた始動領域と、
玉検出手段からの球検出信号に起因して特別図柄表示装置を変動表示させて、各特別図柄を確定表示する図柄制御手段とを備え、
確定された各特別図柄の組合わせが所定の当り図柄態様である場合に、大当り状態となって、遊技者に所定の利得をもたらす作動を発生させると共に、
普通図柄表示装置と、
該普通図柄表示装置を駆動する玉検出手段を備えた普通始動領域と、
普通始動領域の玉検出手段からの球検出信号に起因して普通図柄表示装置を変動表示させて、普通図柄を確定表示する普通図柄制御手段とを備えるパチンコ機において、
各個に開閉制御される複数個の開閉入賞口からなり、その内のいずれかの開閉入賞口内を特定領域とする集合入賞装置を備え、前記大当り状態で、所定開閉入賞口を所定時間又は所定個数流入するまで開放状態を維持し、特定領域に玉が入った場合には所定回数更新する所定大当り態様で開放させると共に、
大当り状態ではないときに、普通図柄制御手段で確定された普通図柄が所定の態様である場合に、前記集合入賞装置の各開閉入賞口うち、あらかじめ選定された所定のものを、大当り態様に比して短時間又は少数個流入するまで選択的に開放させる普通入賞態様を実行するようにしたことを特徴とするものである。
かかる構成にあっては、この集合入賞装置は、大当りの発生機能と、普通入賞機能とを備えることとなる。
【０００８】
この大当り態様又は普通入賞態様は、種々提案される。例えば、集合入賞装置を幅方向に三個の開閉入賞口を並設した構成にあっては、大当り態様では、三個全部を開放し、かつその内のいずれかの開閉入賞口内を特定領域として、この特定領域に玉が入った場合には三個開放状態を所定回数更新させる。また、普通入賞態様では、そのいずれか一個又は二個を比較的短い時間継続的に開放させるか、時間と無関係に開放させて、ほぼ一個の玉流入に伴って閉鎖させる等により行なわれる。
【０００９】
この場合に、普通入賞態様が、集合入賞装置の全開閉入賞口のうち、全部を除く所定個数が開放されると共に、その開放された開閉入賞口への玉流入に伴って、閉鎖状態にあった他の開閉入賞口が開放されるようにしたものであっても良い。すなわち、最初に開放させた開閉入賞口への玉流入に伴って、他の開閉入賞口を開放させる等、各開閉入賞口を関連付けて、一連の開放作動を生じさせ、これを普通入賞態様とすることもできる。この場合に、最初に開放させた開閉入賞口は、その玉流入に伴って、再び開放させることもできる（上述の数の少ない反復回数に相当）。これにより、他の開閉入賞口も開放された全開放となる。
【００１０】
また、普通入賞態様が、集合入賞装置の全開閉入賞口のうち、所定抽選手段によって指定されたる開閉入賞口が開放されるものとしても良い。この抽選手段としては、後述する普通図柄表示装置を適用しても良い。
【００１１】
前記大当り態様としては、集合入賞装置の、全開閉入賞口を開放作動する全開放形態と、全部を除く所定個数の開閉入賞口のみを開放作動させる部分開放形態とのいずれかを、図柄表示装置の大当り表示内容により選定して、実行されるものとしても良い。このように、集合入賞装置を用いたことにより、大当り態様自体も、変化に富んだものとすることができる。
【００１２】
【００１３】
【００１４】
【発明の実施の態様】
添付図面について本発明の一実施例を説明する。
図１は、パチンコ機の遊技盤１の正面図であって、その遊技領域３の中央には、図２で拡大して示すように装着ケース（図示せず）の前部に固定されたセンターケース４が配設され、該センターケース４内に液晶表示器、ＣＲＴ表示器、ドットマトリックスまたは７セグメント指示器等の特別図柄表示装置６が設けられる。この特別図柄表示装置６には三つの特別図柄Ａ，Ｂ，Ｃが横方向に並んで表示される。この特別図柄Ａ，Ｂ，Ｃは、「０」〜「９」等の数字及びアルファベット等からなる図柄が表示される。
【００１５】
センターケース４の窓孔５の下には４個のパイロットランプからなる特別図柄始動記憶数表示装置８が設けられる。この特別図柄始動記憶数表示装置８は、図３で示す記憶装置ＲＡＭの一部領域により構成される始動記憶装置に記憶された玉数を表示する。さらに窓孔５上には、普通図柄表示装置１０が配設される。この普通図柄表示装置１０は、図４で示すように、夫々特定の色を点灯する三個のＬＥＤ１１ａ，１１ｂ，１１ｃからなり、順次点滅して、種々の組み合わせの点灯態様を表示する。そして、この点灯態様が所定の当り状態の場合には、後述するように、普通電動役物１５を開放したり、または、集合入賞装置２２を普通入賞態様で開放駆動する。
【００１６】
すなわち、この左右に列設されたＬＥＤ１１ａ，１１ｂ，１１ｃの左側ＬＥＤ１１ａは赤色，中側ＬＥＤ１１ｂは緑色，右側ＬＥＤ１１ｃは赤色で点灯し、夫々点灯状態と、消灯状態の二態様を示し、その三個のＬＥＤ１１ａ，１１ｂ，１１ｃの組み合わせが、例えば、左右の方向で、ＬＥＤ１１ａ，１１ｃのいずれか、又は両方が赤色で点灯し、かつ中側のＬＥＤ１１ｂが消灯している場合に、当り状態とする。尚、この普通図柄表示装置１０としては、一乃至複数個の７セグメント指示器等により構成し、その表示内容により、当り，はずれを決定するものであっても良い。
【００１７】
センターケース４の両側には、普通図柄作動ゲート１３，１３が設けられ、遊技球の通過により該普通図柄作動ゲート１３，１３に内蔵された普通図柄作動スイッチ（玉検出手段の一例，図３参照）から球検出信号が発生すると、普通図柄表示装置１０が図柄変動する。
【００１８】
また、普通図柄表示装置１０の直下位置には、４個のパイロットランプからなる普通図柄始動記憶数表示装置１２が設けられ、前記普通図柄始動スイッチからの球検出信号が、所定数を上限として記憶装置ＲＡＭの一部領域に記憶された場合に、その記憶数を表示する。
【００１９】
普通図柄表示装置１０の表示結果が、上述したような所定の当り状態の場合には、センターケース４の直下位置に配設した普通電動役物１５の開閉翼片対１６，１６が逆八形傾動して約０．５秒間開放する。また普通電動役物１５の上部には、特別図柄表示装置６の始動領域を構成する始動口１４が配設され、該始動口１４には、玉検出手段を構成する光電スイッチ、リミットスイッチ等の特別図柄始動スイッチ（図３参照）が備えられ、該始動スイッチによる玉通過検知に伴って、特別図柄表示装置６の特別図柄Ａ，Ｂ，Ｃが変動表示する。また普通電動役物１５の開閉翼片対１６，１６は普通電動役物開放ソレノイド（図３参照）を介して変換制御され、この開閉翼片対１６，１６が開いた普通電動役物１５は、特別図柄表示装置６の始動口として機能する。
【００２０】
前記普通電動役物１５のさらに下方には、図５，６で示すように、本発明の要部に係る入賞口２３ａ，２３ｂ，２３ｃを備えた集合入賞装置２２が配設されている。この集合入賞装置２２の入賞口２３ａ，２３ｂ，２３ｃは、ソレノイド２５ａ，２５ｂ，２５ｃ（図５，６参照）により各個に制御される蓋体２４ａ，２４ｂ，２４ｃにより開閉される。
【００２１】
この蓋体２４ａ，２４ｂ，２４ｃは、上部を開口とする断面コ字状をしており、両側壁２６により、隣接する入賞口２３ａ，２３ｂ，２３ｃを相互に区画するようにしている。そして、蓋体２４ａ，２４ｂ，２４ｃは軸２７を中心として回動し、前記ソレノイド２５ａ，２５ｂ，２５ｃの駆動軸の進退により、レバー片２８を軸２９を中心として揺動させ、該レバー片２８の先端で、蓋体２４ａ，２４ｂ，２４ｃの後端に突出した連係突部３０を回動させて、蓋体２４ａ，２４ｂ，２４ｃを図６鎖線の閉鎖位置と、実線の開放位置に、各個に制御し得るようにしている。
【００２２】
そして、その開放状態で、該蓋体２４ａ，２４ｂ，２４ｃ上面が案内作用を生じて、各入賞口２３ａ，２３ｂ，２３ｃから、流通路３１へ遊技球を案内することとなる。また、中央の入賞口２３ａは特定領域として、後述するように入賞口２３ａに遊技球が入ると、連続開放作動を生ずるようにしている。
【００２３】
また、前記流通路２９には、玉の通過を検知する光電スイッチ、リミットスイッチ等の玉検知スイッチＳＷが配設される。この玉検知スイッチＳＷは、図３の10カウントスイッチ，役物連続作動スイッチを構成するものである。
【００２４】
特別図柄表示装置６，普通図柄表示装置１０，普通電動役物１５，集合入賞装置２２等の作動制御は、図３で示す中央制御装置ＣＰＵ等からなるマイクロコンピュータにより構成される遊技制御装置によって実行される。かかる構成及び制御態様につき説明する。
【００２５】
ここで図３で示すように、中央制御装置ＣＰＵには記憶装置ＲＡＭが接続され、この記憶領域により、始動スイッチからの球検出信号を所定個数を限度として記憶する始動記憶装置が構成される。
【００２６】
また中央制御装置ＣＰＵに接続された記憶装置ＲＯＭには、０〜２２４のコマからなり、その内容が例えば「７」を大当りとする大当り特別乱数Ｋと、該大当り特別乱数Ｋの結果により選定される大当り特別図柄乱数Ｌと、ハズレ特別図柄乱数Ｍa ，Ｍb ，Ｍc と、リーチ乱数Ｎが格納される。このリーチ乱数Ｎは、非リーチ状態のときと異なる変動態様のリーチ変動態様を複数種類備えている場合に、いずれのリーチ変動態様でリーチ作動を行うかを決定するものである。このリーチ変動態様としては、例えば、低速スクロール，逆走行，低速走行からの加速度的停止，図柄の反転等の、種々の変動態様がある。
【００２７】
次に特別図柄表示装置６の作動につき説明する。
始動口１４を玉が通過して、特別図柄始動スイッチからの球検出信号が発生すると、特別図柄始動記憶数が４個未満であれば、記憶数に１個を追加した後、特別乱数Ｋを抽出して、一旦記憶装置ＲＡＭに格納する。
【００２８】
そして、特別図柄始動記憶数Ｕを一個消化して、特別図柄表示装置６が変動開始すると共に、賞球の払出が行なわれる。また、特別図柄始動記憶数表示装置８は、該記憶数に対応して順次点灯すると共に、特別図柄表示装置６が変動を開始する都度、消灯されて、記憶数の減少が表示される。
【００２９】
そして、格納された特別乱数Ｋを判定し、これが「７」等の当り値の場合には、大当り特別図柄乱数Ｌから、あらかじめ定められている「１，１，１」、「２，２，２」、「３，３，３」、「４，４，４」等、数字又はアルファベット等からなる同一図柄の組み合わせよりなる当り図柄態様を選定して、特別図柄表示装置６を変動後に、図柄表示部Ａ，Ｂ，Ｃを選定内容に基づいて、順次停止して表示する。そして、大当りとして、報知装置（図３参照）がファンファーレを鳴らすと共に、上述したように集合入賞装置２２の各入賞口２３ａ，２３ｂ，２３ｃを全開放して、大当り態様を実行する。
【００３０】
すなわち、図５，６で示すように、集合入賞装置２２のソレノイド２５ａ，２５ｂ，２５ｃが駆動して、蓋体２４ａ，２４ｂ，２４ｃが前方に傾動して全ての入賞口２３ａ，２３ｂ，２３ｃが開放し、全体として約10個の遊技球が入賞するか、所定時間（約29.5秒）が経過するまで開放を行う。この開放作動にあっては、中央の入賞口２３ａの内部を特定入賞領域として、これを通過した時は、連続変動し、その開放動作終了後に再び入賞口２３ａ，２３ｂ，２３ｃが開放する。この連続作動の回数は、初回開放を含め最高３回までとする。
【００３１】
尚、前記所定時間内であれば、約10個の遊技球が入賞し終ったものから順に、入賞口２３ａ，２３ｂ，２３ｃを一旦閉鎖するようにしても良い。または、総入賞数が10個となると共に、その全体を一旦閉鎖しても良い。
【００３２】
この大当り態様にあって、例えば特別図柄Ａ，Ｂ，Ｃが奇数であれば、中央の入賞口２４ａのみを所定時間開放させる等、特別図柄表示装置６の表示内容により、入賞口２３ａ，２３ｂ，２３ｃを選択的に開放させるようにしても良い。例えば、「１，１，１」の場合には、中央の入賞口２３ａのみが開放し、「３，３，３」の場合には、入賞口２３ａ，２３ｂが開放し、さらに、「５，５，５」の場合には入賞口２３ａ，２３ｃが開放するようにする。このように、集合入賞装置２２を用いたことによって、多様な大当り態様を実現することができる。
【００３３】
尚、後述の普通入賞態様と相違するのは、一回の開放時間が長く、かつ最大流入個数が多く、その利益内容が、大当りに相応するものであることである。
【００３４】
一方、上述の大当り態様が作動完了すると、前記特別図柄表示装置６上にＸ図柄（「Ｘ・Ｘ・Ｘ」の表示が出現）又はＹ図柄（「Ｙ・Ｙ・Ｙ」の表示が出現）が表示されるようにしても良い。この場合に、Ｘ図柄が表示された時には、次の大当り作動の開始までの間、特別図柄表示装置６及び普通図柄表示装置１０の変動時間が短縮され、記憶オーバーによる変動無効玉の発生が少なくなって、当り確率が実質的に向上することとなると共に、普通電動役物１５の開放時間も約３秒間に延長される。またこの時、入賞口２３ａも約３秒間開放して、その間に遊技球が入賞口２３ａに入賞すると、左右の入賞口２３ｂ，２３ｃも開放され、全ての入賞口２３ａ，２３ｂ，２３ｃが約３秒間開放されるようにしても良い。または、Ｙ図柄の時には、左右の入賞口２３ｂ，２３ｃは約３秒間開放されるのみとしても良い。
【００３５】
その他、大当り特別図柄乱数Ｌが当り値「７」ではない場合には、ハズレ特別図柄乱数Ｍa ，Ｍb ，Ｍc を抽選して、ハズレ図柄態様を決定する。このときＡ＝Ｂ＝Ｃとなった場合には、Ｍc を再抽選して、必ずハズレとなるようにする。このハズレ図柄態様がＡ＝Ｂの場合には、リーチ乱数Ｎにより、所定のリーチ態様を実行することとなる。
【００３６】
上述の集合入賞装置２２の構成は、各入賞口２３ａ，２３ｂ，２３ｃの蓋体２４ａ，２４ｂ，２４ｃを、ソレノイド２５ａ，２５ｂ，２５ｃにより前後方向に開閉する構成であるが、図７で概念的に示すように、各入賞口２３ａ，２３ｂ，２３ｃの上部開口をシャッター４０ａ，４０ｂ，４０ｃにより常態で閉鎖して、該シャッター４０ａ，４０ｂ，４０ｃを前後方向に移動するようにし、開放位置では、シャッター４０ａ，４０ｂ，４０ｃを後方へ退避させるようにして構成しても良い。さらには、各入賞口２３ａ，２３ｂ，２３ｃを、前後方向に移動する受樋によって構成し、該受樋の突出位置で、入賞可能となり、退避位置で閉鎖状態となる、引出し式構造としても良い。尚、各入賞口の数は二個以上であれば良く、その数に制限はない。
【００３７】
次に、前記集合入賞装置２２の普通入賞態様につき説明する。
上述したように、普通図柄表示装置１０のＬＥＤ１１ａ，１１ｂ，１１ｃが、所定当り態様の場合には、普通電動役物１５が約0.5 秒間開放すると共に、集合入賞装置２２のソレノイド２５ａが駆動して、入賞口２３ａのみが開放することとなる。そして、この入賞口２３ａに玉が入ると、該玉が玉検知スイッチＳＷで検知され、ソレノイド２５ａが復動して、入賞口２３ａが閉鎖状態に復帰する。この入賞口２３ａの開放は時間制御により行なっても良く、この場合には、入賞口２３ａは、所定時間だけ開放する。
【００３８】
前記集合入賞装置２２を用いた普通入賞態様としては、普通図柄表示装置１０による当り発生にともない、中央の入賞口２３ａを開放し、その入賞口２３ａへの玉流入にともなって、入賞口２３ｂ，２３ｃが開放されるようにしても良い。さらにこの場合に、入賞口２３ａの開放は0.5 秒等の短時間で閉じるようにしても良く、または玉が１個流入するまで、開放維持するようにしても良い。
【００３９】
また、普通電動役物１５と、集合入賞装置２２の開放を、前記普通図柄表示装置１０の表示態様により選択しても良い。例えば、上述したように、赤色のＬＥＤ１１ａ，１１ｃのみが両方又は一方点灯した場合には、普通電動役物１５を開放駆動し、緑色のＬＥＤ１１ｂが点灯した場合には、集合入賞装置２２の入賞口２３ａが開放駆動されるようにしても良い。
【００４０】
さらにまた、前記普通図柄表示装置１０の抽選内容により、前記入賞口２３ａ，２３ｂ，２３ｃのいずれか一個又は複数個を開放するようにしても良く、複数個の場合には、各個に玉が入るたびに、当該入賞口を閉鎖するようにしても良い。
【００４１】
このように、集合入賞装置２２は、大当りの時とは異なった、多様な普通入賞態様で、開放駆動され得る。
【００４２】
【発明の効果】
本発明は、各個に開閉制御される複数個の開閉入賞口からなる集合入賞装置を備え、前記大当り状態で、各開閉入賞口を所定大当り態様で開放させると共に、大当り状態ではないときに、普通図柄制御手段で確定された普通図柄が所定の態様である場合に、各開閉入賞口を選択的に開放させる普通入賞態様を実行するようにしたから、集合入賞装置は、大当りの発生機能と、普通入賞機能とを備えることとなり、このため、該集合入賞装置が多機能化して、従来のように大入賞口を設け、これを大当りの時のみ作動させていた構成と異なり、該集合入賞装置の有効利用により、多様な作動態様又は賞球態様を発生させることができ、遊技の興趣が増大することとなる。
【図面の簡単な説明】
【図１】本発明のパチンコ機の遊技盤１を示す正面図である。
【図２】本発明の特別図柄表示装置６の正面図である。
【図３】遊技制御装置（マイクロコンピュータ）を示すブロック回路図である。
【図４】普通図柄表示装置１０の構成を示す正面図である。
【図５】集合入賞装置２２の正面図である。
【図６】集合入賞装置２２の構成を簡略的に示す縦断側面図である。
【図７】集合入賞装置２２の他の態様を示す概念図である。
【符号の説明】
１  遊技盤
６  特別図柄表示装置
１０  普通図柄表示装置
１４  始動口
２２  集合入賞装置
２３ａ，２３ｂ，２３ｃ  入賞口
２４ａ，２４ｂ，２４ｃ  蓋体
Ａ，Ｂ，Ｃ  特別図柄
【図１】
0003710551.tif 000002
【図２】
0003710551.tif 000003
【図３】
0003710551.tif 000004
【図４】
0003710551.tif 000005
【図７】
0003710551.tif 000006
【図５】
0003710551.tif 000007
【図６】
0003710551.tif 000008